(57)【特許請求の範囲】
【請求項１】
便鉢と、該便鉢の下流側に連通し、該便鉢とともに封水部を形成する便器排水路とを有する便器本体と、
該便器本体に洗浄水を供給する洗浄水供給路と、該洗浄水供給路に設けられた開閉弁とを有する便器洗浄装置と、
該開閉弁より上流側の該洗浄水供給路に出入口が連通され、流入する洗浄水により蓄圧可能な蓄圧装置とを備えた洋風水洗式便器において、
前記便器本体の後部上面に取り付けられ、該便器本体の上面後端より後方に伸びた支持部を有するベース部材を備えており、
前記蓄圧装置は、該支持部の後方から前方へスライドさせて該支持部に係合状態に吊下げ保持され、該便器本体の上面より下方かつ前記便器排水路の上部近傍に設置されていることを特徴とする洋風水洗式便器。
【請求項２】
前記支持部を金属製のプレートとの間で挟み込むように該支持部の下面に固定し、係止部を有した第１金具と、前記蓄圧装置に固定し、前記係止部に後方から挿入可能な被係止部を有した第２金具とを有した吊下げ金具により前記蓄圧装置が吊下げ保持されている請求項１記載の洋風水洗式便器。
【請求項３】
前記支持部は前記便器本体の左右方向に伸びており、
該支持部の左右一方側に前記開閉弁が取り付けられ、該支持部の左右他方側に前記蓄圧装置が吊り下げ保持されている請求項１又は２記載の洋風水洗式便器。
【請求項４】
前記蓄圧装置は設置時に前記便器本体の左右方向に伸びた略円柱体である請求項１乃至３のいずれか１項記載の洋風水洗式便器。
【請求項５】
前記蓄圧装置の最下端部に前記出入口が設けられ、該出入口は下方を向いて開口している請求項１乃至４のいずれか１項記載の洋風水洗式便器。
【請求項６】
便鉢と、該便鉢の下流側に連通し、該便鉢とともに封水部を形成する便器排水路とを有する便器本体と、
該便器本体に洗浄水を供給する洗浄水供給路と、該洗浄水供給路に設けられた開閉弁とを有する便器洗浄装置と、
該開閉弁より上流側の該洗浄水供給路に出入口が連通され、流入する洗浄水により蓄圧可能な蓄圧装置とを備えた洋風水洗式便器において、
前記蓄圧装置は、該便器本体の上面より下方かつ前記便器排水路の上部近傍に設置されており、最下端部に前記出入り口が設けられ、該出入口が下方を向いて開口しており、該出入口に設けられた水抜き栓を有していることを特徴とする洋風水洗式便器。
【請求項７】
前記蓄圧装置は、前記出入口及び空気孔を有する蓄圧タンクと、該出入口側の第１室と該空気孔側の第２室に区画する隔膜と、該第１室を縮小する方向に該隔膜を付勢する弾性体とを有し、
該空気孔は前記封水部より下流側の前記便器排水路に連通されている請求項１乃至６のいずれか１項記載の洋風水洗式便器。
【請求項８】
前記蓄圧装置は、前記出入口及び空気孔を有する蓄圧タンクと、該出入口側の第１室と該空気孔側の第２室に区画する隔膜と、該第１室を縮小する方向に該隔膜を付勢する弾性体と、該空気孔から洗浄水が漏出することを防ぐ漏出防止機構とを有している請求項１乃至７のいずれか１項記載の洋風水洗式便器。
【発明の詳細な説明】
【技術分野】
【０００１】
本発明は洋風水洗式便器に関する。
【背景技術】
【０００２】
特許文献１に従来の洋風水洗式便器が開示されている。この洋風水洗式便器は、便鉢と、便鉢の下流側に連通し、便鉢とともに封水部を形成する便器排水路と、便鉢及び便器排水路を囲包する周壁とを有する便器本体を備えている。便器本体には、開閉弁が設けられた洗浄水供給路を介して洗浄水が供給される。洗浄水供給路には、流入する洗浄水により蓄圧可能な蓄圧装置が連通されている。蓄圧装置は、便鉢より後方の周壁内の床面上に設置されている。
【０００３】
この洋風水洗式便器では、蓄圧装置に貯留された蓄圧水を洗浄水供給路に吐出することができる。このため、水圧の高い蓄圧水を利用して便鉢内から汚物を排出することができる。よって、少ない洗浄水量で便器洗浄を良好に行うことができる。
【０００４】
【特許文献１】特開２００５−１２０７４２号公報
【発明の開示】
【発明が解決しようとする課題】
【０００５】
しかし、上記従来の洋風水洗式便器では、便鉢より後方の周壁内の床面上に蓄圧装置が設置されている。通常、便鉢より後方の周壁内の床面には、上方に向けて開口する排水管が立ち上げられ、排水管と便器排水路とを連通するための接続部材が設置される。このため、便鉢より後方の周壁内の床面には、蓄圧装置を設置するためのスペースが限られ、蓄圧装置を小型にしなければならない。この場合、蓄圧水の量が少なくなり、水圧の高い蓄圧水を利用して汚物の排出を良好に行うことができないおそれがある。
【０００６】
本発明は、上記従来の実情に鑑みてなされたものであって、便器洗浄を良好に行うことのできる洋風水洗式便器を提供することを解決すべき課題としている。
【課題を解決するための手段】
【０００７】
第１発明の洋風水洗式便器は、便鉢と、該便鉢の下流側に連通し、該便鉢とともに封水部を形成する便器排水路とを有する便器本体と、
該便器本体に洗浄水を供給する洗浄水供給路と、該洗浄水供給路に設けられた開閉弁とを有する便器洗浄装置と、
該開閉弁より上流側の該洗浄水供給路に出入口が連通され、流入する洗浄水により蓄圧可能な蓄圧装置とを備えた洋風水洗式便器において、
前記便器本体の後部上面に取り付けられ、該便器本体の上面後端より後方に伸びた支持部を有するベース部材を備えており、
前記蓄圧装置は、該支持部の後方から前方へスライドさせて該支持部に係合状態に吊下げ保持され、該便器本体の上面より下方かつ前記便器排水路の上部近傍に設置されていることを特徴とする。
【０００８】
この洋風水洗式便器では、通常、設置される機器が少ない便器本体の上面より下方かつ便器排水路の上部近傍のスペースに蓄圧装置が設置される。このため、スペースを有効に利用して、便器洗浄に十分な量が貯留できる蓄圧装置を採用することができる。
【０００９】
したがって、この洋風水洗式便器は、便器洗浄を良好に行うことができる。
【００１０】
便器本体の後部上面に取り付けられ、便器本体の上面後端より後方に伸びた支持部を有するベース部材を備えており、支持部に蓄圧装置が吊り下げ保持される。この場合、蓄圧装置を便器本体の上面より下方かつ便器排水路の上部近傍に容易に設置することができる。
【００１１】
支持部は便器本体の左右方向に伸びており、支持部の左右一方側に開閉弁が取り付けられ、支持部の左右他方側に蓄圧装置が吊り下げ保持され得る。この場合、ベース部材の左右方向の重量バランスを保ち易いため、施工を容易にすることができる。また、蓄圧装置と開閉弁とを近づけて配置することができるため、蓄圧装置の出入口を洗浄水供給路に容易に連通させることができる。
【００１２】
蓄圧装置は設置時に便器本体の左右方向に伸びた略円柱体であり得る。この場合、便器本体の上面より下方かつ便器排水路の上部近傍の左右方向に広がるスペースを利用して蓄圧装置を設置することができる。
【００１３】
蓄圧装置の最下端部に出入口が設けられ、出入口は下方を向いて開口し得る。この場合、蓄圧装置から蓄圧水を排出する際、蓄圧装置内の蓄圧水をほとんど排出することができ、残留する蓄圧水は少ない。このため、蓄圧水を便器洗浄に無駄なく利用することができる。
【００１４】
第２発明の洋風水洗式便器は、便鉢と、該便鉢の下流側に連通し、該便鉢とともに封水部を形成する便器排水路とを有する便器本体と、
該便器本体に洗浄水を供給する洗浄水供給路と、該洗浄水供給路に設けられた開閉弁とを有する便器洗浄装置と、
該開閉弁より上流側の該洗浄水供給路に出入口が連通され、流入する洗浄水により蓄圧可能な蓄圧装置とを備えた洋風水洗式便器において、
前記蓄圧装置は、該便器本体の上面より下方かつ前記便器排水路の上部近傍に設置されており、最下端部に前記出入り口が設けられ、該出入口が下方を向いて開口しており、該出入口に設けられた水抜き栓を有していることを特徴とする。
この場合、蓄圧装置に貯留された蓄圧水が凍結するおそれがある場合には、水抜き栓を取り外し、蓄圧装置から蓄圧水を排出することができるため、蓄圧水の凍結による蓄圧装置の破損を防止することができる。
【００１５】
蓄圧装置は、出入口及び空気孔を有する蓄圧タンクと、出入口側の第１室と空気孔側の第２室に区画する隔膜と、第１室を縮小する方向に隔膜を付勢する弾性体とを有し、空気孔は封水部より下流側の便器排水路に連通され得る。この場合、弾性体により隔膜を第１室側に移動させ、第１室に貯留された蓄圧水を出入口から洗浄水供給路に排出すると同時に第２室が容積を拡大し、便器排水路から空気を吸引することができる。これにより、封水部から便器排水路の下流側に洗浄水が一気に流れ、サイホン作用を確実に発生させることができる。このため、サイホン作用により汚物を便鉢内からより強力に排出することができる。
【００１６】
蓄圧装置は、出入口及び空気孔を有する蓄圧タンクと、出入口側の第１室と空気孔側の第２室に区画する隔膜と、第１室を縮小する方向に隔膜を付勢する弾性体と、空気孔から洗浄水が漏出することを防ぐ漏出防止機構とを有し得る。この場合、隔膜が破損し、蓄圧装置に供給された洗浄水が空気孔から蓄圧装置の外部に漏出してしまうことを防止することができる。
【発明を実施するための最良の形態】
【００１７】
以下、第１発明及び第２発明の洋風水洗式便器を具体化した実施例１及び２を図面を参照しつつ説明する。
【実施例１】
【００１８】
実施例１の洋風水洗式便器は、図１〜図４に示すように、便器本体１と、便器洗浄装置１０と、蓄圧装置１００とを備えている。便器本体１は、便鉢２と、便鉢２の下流側に連通し、便鉢２とともに封水部３を形成する便器排水路４とを有している。便器排水路４は便鉢と一体に形成された便器排水管５により形成されている。便器排水路４は、床面に設置された図示しない接続部材により、床面に立ち上げられた図示しない排水管に連通される。便鉢２は、上部開口周縁にリム通水路８が形成されている。便器本体１の後部上面９には、便器本体１の上面後端９Ｂより後方及び便器本体１の後方から見て左右方向に伸びた支持部８１を有するベース部材８０が取り付けられている。ベース部材８０には、図示しないケーシングが取り付けられている。ケーシングの上面には、図示しない便座及び便蓋が軸支されている。
【００１９】
便器洗浄装置１０は、便器本体１の便鉢２の下端に設けられたジェットノズル６に接続され、洗浄水供給路の一部を形成する第１給水管Ｃ１を有している。また、便器洗浄装置１０は、リム８に連通するリムノズル７に接続され、洗浄水供給路の一部を形成する第２給水管Ｃ２を有している。第１給水管Ｃ１は上流側に第１開閉弁Ｖ１が設けられ、第２給水管Ｃ２は上流側に第２開閉弁Ｖ２が設けられている。
【００２０】
第１開閉弁Ｖ１の上流側に連通する第１定流量弁Ｆ１と、第２開閉弁Ｖ２の上流側に連通する第２定流量弁Ｆ２とは、一つのバルブケース１１内に洗浄水供給路の一部と、逆止弁Ｇ１、Ｇ２とともに設けられている。第１定流量弁Ｆ１及び第２定流量弁Ｆ２の上流側の洗浄水供給路は、バルブケース１１内で合流され、ストレーナＳの上流側に連通している。
【００２１】
ストレーナＳは、内蔵するスクリーンを取り出し可能な開口を有し、開口にはキャップ１２が螺着されている。ストレーナＳの上流側には、洗浄水供給路の一部を形成する第３給水管Ｃ３が接続されている。第３給水管Ｃ３の上流側の流入口１３は、便器本体１が設置されるトイレルームに引き出された水道管に接続された図示しない止水栓に接続される。
【００２２】
第１開閉弁Ｖ１及び第２開閉弁Ｖ２は、図２及び図３に示すように、便器本体１の後方から見た際、ベース部材８０の支持部８１の右側の上面に取り付けられている。ベース部材８０の後部上面には隔壁８２が立設されている。隔壁８２の一部は第１開閉弁Ｖ１及び第２開閉弁Ｖ２等の周囲に立設されている。第１定流量弁Ｆ１及び第２定流量弁Ｆ２を内蔵するバルブケース１１と、ストレーナＳとは、便器本体１の後方から見た際、支持部８１の右側の下方に取り付けられている。
【００２３】
蓄圧装置１００は、図１〜図３、図５及び図６に示すように、出入口２４Ａに分岐管２６が接続されている。分岐管２６の一方の開口は、第４給水管Ｃ４を介して、第１開閉弁Ｖ１と第１定流量弁Ｆ１との間の洗浄水供給路に連通している。図５に示すように、第４給水管Ｃ４の下流端の開口１５は、洗浄水供給路内の洗浄水の流水方向に蓄圧水が流入するように洗浄水供給路のバルブケース１１の下面から突出した接続管１４の接続口１４Ａに連通されている。このため、洗浄水供給路内を流れる洗浄水に蓄圧装置１００から排出された蓄圧水の水勢を加えることができ、蓄圧水を便器洗浄に有効に利用することができる。
【００２４】
蓄圧装置１００は、図３及び図５に示すように、便器本体１の後方から見た際、左右方向に伸びた略円柱体であり、ベース部材８０の支持部８１の左側の下面に吊下げ金具１１０により吊り下げ保持され、便器本体１の上面より下方かつ便器排水路４の上部近傍に設置されている。便器本体１に組み付けられる局部洗浄装置等の機器は、便器本体１の上面に設置されることが多く、通常、機器が設置されることの少ない便器本体１の上面より下方かつ便器排水路４の上部近傍の左右方向に広がるスペースに蓄圧装置１００を設置することができる。このため、スペースを有効に利用して、便器洗浄に十分な量が貯留できる蓄圧装置１００を採用することができる。
【００２５】
したがって、実施例１の洋風水洗式便器は、便器洗浄を良好に行うことができる。
【００２６】
吊下げ金具１１０は、ベース部材８０の支持部８１の下面に固定される第１金具１１１と、蓄圧装置１００の側面の上端部に固定される第２金具１１２とから構成されている。第１金具１１１は、ベース部材８０の支持部８１の上面に配置される図示しない金属性のプレートに貫設されたビス孔に上方から挿入され、支持部８１を貫通する図示しないビスがねじ込まれる。さらに、第１金具１１１は、ベース部材８０の後方から支持部８１の後端面にねじ込まれるビスＢ１が貫通される。このようにして、第１金具１１１は、支持部８１を金属製のプレートとの間で挟み込むように固定されるため、支持部８１の下面に強固に固定される。第２金具１１２は、上方から挿入され、蓄圧装置１００の側面の上端部にねじ込まれるビスＢ２により、蓄圧装置１００の側面の上端部に固定される。
【００２７】
第１金具１１１は、支持部８１の下面と隙間を形成し、第２金具１１２の被係止部１１２Ａが後方から挿入可能な係止部１１１Ａを有している。このような構成を有しているため、蓄圧装置１００は、支持部８１の後方から前方へスライドさせて、第１金具１１１の係止部１１１Ａと第２金具１１２の被係止部１１２Ａとを係合させた後、ビスＢ３が螺着されることにより、容易に吊り下げ保持される。このように、蓄圧装置１００を便器本体１の上面より下方かつ便器排水路４の上部近傍のスペースに容易に設置することができる。また、蓄圧装置１００をベース部材８０の上面に設置すると、上方への突出が大きくなってしまうが、支持部８１の下面に大型の蓄圧装置１００を洋風水洗式便器の使用者等から目立つことなく設置することができる。
【００２８】
蓄圧装置１００は、図５及び図６に示すように、支持部８１に吊り下げ保持された際、前方の斜め下方に伸びる支持部材１２０を有している。支持部材１２０は、蓄圧装置１００の側面にビスＢ４により固定される固定金具１２１と、固定金具１２１から伸び、長さ調節が可能な支持棒１２２と、支持棒１２２の先端に設けられた当接部材１２３とから形成されている。支持部材１２０は、便器本体１の後方から見た際、左側に形成された便器本体１の背面壁１Ｗに当接部材１２１を当接させ、蓄圧装置１００を支持している。
【００２９】
蓄圧装置１００は、側面の最下端部に設けられ、下方を向いて開口する出入口２４Ａを有している。このため、蓄圧装置１００から蓄圧水を排出する際、蓄圧装置１００内の蓄圧水をほとんど排出することができ、残留する蓄圧水は少ないため、蓄圧水を便器洗浄に無駄なく利用することができる。
【００３０】
蓄圧装置１００の出入口２４Ａに接続された分岐管２６の他方の開口は、水抜き栓２６Ａが螺着されている。このため、蓄圧装置１００に貯留された蓄圧水が凍結するおそれがある場合には、水抜き栓２６Ａを取り外し、蓄圧装置１００内の蓄圧水をほとんど排出することができるため、蓄圧水の凍結による蓄圧装置１００の破損を防止することができる。
【００３１】
図２及び図３に示すように、便器本体１の後方から見た際、支持部８１の左側には、蓄圧装置１００が吊り下げ保持され、支持部８１の右側には、便器洗浄装置１０を構成する第１開閉弁Ｖ１と、第２開閉弁Ｖ２と、バルブケース１１と、ストレーナＳとが取り付けられている。このため、ベース部材８０は、左右方向の重量バランスを保ち易い。よって、施工を容易にすることができる。また、蓄圧装置１００と、第１開閉弁Ｖ１とを近づけて配置することができるため、第４給水管Ｃ４を介して蓄圧装置１００の出入口２４Ａを洗浄水供給路に容易に連通させることができる。
【００３２】
蓄圧装置１００は、図７に示すように、蓄圧タンク２０と、隔膜であるダイヤフラム３０と、弾性体であるコイルばね７０と、漏出防止機構６０とを有している。
【００３３】
蓄圧タンク２０は、設置時に左右方向に伸びる略円筒状の第１ケース２３と、第１ケース２３の左側の開口端に連結され、設置時に下方を向いて開口する出入口２４Ａが側面に設けられた第２ケース２４と、第１ケース２３の右側の開口端に連結され、空気孔２５Ａが設けられた円盤状の蓋部材２５とから構成されている。
【００３４】
ダイヤフラム３０は、肉厚の周縁部３１を有している。この周縁部３１は、第１ケース２３の左側の開口端面と第２ケース２４の開口端面との間に挟持され、保持されている。また、ダイヤフラム３０は、周縁部３１に連続し、折り返されて、第１ケース２３の内周面と、後述するピストン４０の側壁４１の左側、すなわち、ピストン４０の閉鎖壁４２側の外周面との間に位置して変形する円筒状の中間部３２を有している。さらに、ダイヤフラム３０は、中間部３２に連続し、左右方向に移動可能な円形の中央部３３を有している。中央部３３の左側面の中心部には、先端が拡径した円柱状の凸部３４が形成されている。中央部３３の右側面には、右方向に突出したリブ３５が形成されている。このダイヤフラム３０により、蓄圧タンク２０内は出入口２４Ａ側の第１室２１と空気孔２５Ａ側の第２室２２とに区画されている。
【００３５】
ピストン４０は、第２室２２内に収納され、円筒状の側壁４１と、側壁４１の左側の開口端を閉じる閉鎖壁４２とから形成されている。側壁４１の外周面の右側は、左側よりも径方向に拡大し、第１ケース２３の内周面と僅かな隙間を設けて形成されている。この側壁４１の右側外周面により、ピストン４０は第１ケース２３の内周面に沿って左右方向に移動するように案内される。側壁４１の外周面の左側と第１ケース２３の内周面との間には、ダイヤフラム３０の中間部が折り返されて収納される隙間が設けられている。
【００３６】
閉鎖壁４２の左側面には、ダイヤフラム３０のリブ３５が嵌合される凹部４２Ａが形成されている。ダイヤフラム３０のリブ３５とピストン４０の閉鎖壁４２の凹部４２Ａとが嵌合されているため、ダイヤフラム３０の中央部３３は、ピストン４０の閉鎖壁４２からずれることなく、左右方向に移動することができる。
【００３７】
また、ダイヤフラム３０の中央部３３の左側面には、略円盤状のリテーナ５０が取り付けられている。リテーナ５０の中心部に形成された開口５１が、ダイヤフラム３０の凸部３４を挿通し、係止している。リテーナ５０は、ピストン４０の閉鎖壁４２とともに、ダイヤフラム３０の中央部３３を保持している。このため、ダイヤフラム３０の中央部３３が良好に左右方向に移動することができる。
【００３８】
漏出防止機構６０は、フロート弁６１と、蓋部材２５の左側面に取り付けられ、フロート弁６１を収納する収納ケース６２とから構成され、第２室２２に収納されている。フロート弁６１は、フロート部材６３と、フロート部材６３の上面に設けられた柔軟性を有する皿形状の閉塞部材６４とから構成されている。フロート部材６３は、中空の円柱状の胴部６３Ａと、胴部６３Ａの側面に等間隔に設けられ、放射方向に伸びた略矩形の複数の片部６３Ｂと、胴部６３Ａの下面に設けられた凸条の複数の脚部６３Ｃとを有している。
【００３９】
収納ケース６２の内部には、フロート弁６１を収納し、上面に第１連通路６５Ａを有する収納室６５と、第１連通路６５Ａと空気孔２５Ａとを連通する第２連通路２５Ｂとが形成されている。収納室６５の底面には、第２室２２に連通する連通口６６Ａが形成された底壁６６が取り付けられている。
【００４０】
収納室６５の内側面は、円筒状に形成されており、フロート弁６１の片部６３Ｂの外側端が収納室６５の内側面に僅かな隙間を設けて形成されている。これにより、フロート弁６１が収納室６５の内側面に沿って上下動するように案内される。このように、漏出防止機構６０は簡易な構造で構成されている。
【００４１】
この漏出防止機構６０では、常時は、空気孔２５Ａに連通する第１連通路６５Ａの下端開口が閉塞されず開放されている。また、連通口６６Ａは、フロート部材６３が底壁６６に乗っている状態でも脚部６３Ｃにより閉塞されない。また、収納室６５の側面と胴部６３Ａとの間は、各片部６３Ｂの間を空気が流通可能である。このため、空気は、空気孔２５Ａ、第２連通路２５Ｂ、第１連通路６５Ａ、収納室６５及び連通口６６Ａを介して第２室に良好に出入りすることができる。よって、この蓄圧装置は良好に作動することができる。
【００４２】
一方、ダイヤフラム３０が破損した場合、洗浄水が第２室２２に流入して増加すると、収納ケース６２の連通口６６Ａを介して収納室６５に洗浄水が侵入し、フロート弁６１が浮上し始める。さらに、洗浄水が増加し、フロート弁６１が上昇すると、閉鎖部材６４が第１連通路６５Ａの下端開口を閉鎖する。これにより、洗浄水は、収納室６５から第１連通路６５Ａ側に流出せず、空気孔２５Ａから蓄圧装置１００の外部に漏出しない。この際、第１室２１から流入した液体により第２室２２が完全に満たされてしまう前に、第１連通路６５Ａの下端開口はフロート弁６１により閉塞される。このため、ダイヤフラム３０の破損後、早期に第１連通路６５Ａの下端開口を閉塞させ、空気孔２５Ａから洗浄水が外部に漏出することを防ぐことができる。
【００４３】
コイルばね７０は、蓋部材２５に取り付けられた収納ケース６２と、ピストン４０の閉鎖壁４２との間に介装され、第２室２２に収納されている。コイルばね７０は、ピストン４０及びダイヤフラム３０の中央部３３を左方向に移動させる方向、つまり、第１室１１を縮小する方向に付勢している。
【００４４】
このような構成を有する実施例１の洋風水洗式便器における便器洗浄動作について説明する。
【００４５】
便器洗浄動作の待機状態では、第１開閉弁Ｖ１及び第２開閉弁Ｖ２は閉弁されている。この際、第４給水管Ｃ４内の洗浄水には、洗浄水が洗浄水供給路内を流通する際の流動圧よりも高い水圧である静水圧が働く。このため、ダイヤフラム３０に対するコイルばね７０の付勢力に抗して、洗浄水が出入口２４Ａから蓄圧装置１００の第１室２１内に流入する。これにより、コイルばね７０が圧縮されるとともにダイヤフラム３０は変形し、第１室２１の容積が徐々に拡大し、洗浄水が貯留される。第１室２１に貯留された洗浄水は、圧縮されたコイルばね７０の付勢力により蓄圧された状態の蓄圧水となる。
【００４６】
図示しない便器洗浄ボタンが操作されると、先ず第２開閉弁Ｖ２が開弁し、リム８へ洗浄水が供給される。その後、設定時間経過後に、第２開閉弁Ｖ２が閉弁し、第１開閉弁Ｖ１が開弁する。すると、蓄圧装置１００の第１室２１に貯留された蓄圧水が排出され、ジェットノズル６から高い水圧による大流量の洗浄水が一気に便器排水路４内に噴出する。これにより、便器排水路４内にサイホン作用が発生し、便鉢２内の汚物を強力に排出することができる。
【００４７】
蓄圧装置１００からの蓄圧水の排出が終了し、設定時間が経過した後に、第１開閉弁Ｖ１を閉弁し、サイホン作用を終了させる。第１開閉弁Ｖ１の閉弁と同時に、第２開閉弁Ｖ２が開弁する。これにより、リム８から便鉢２内へ洗浄水が供給され、設定時間経過後に第２開閉弁Ｖ２を閉弁し、覆水が完了する。
【００４８】
第１開閉弁Ｖ１及び第２開閉弁Ｖ２が閉弁すると、洗浄水供給路内の洗浄水には静水圧が働く。このため、蓄圧装置１００の第１室２１に洗浄水が貯留され、便器洗浄動作の待機状態に復帰する。
【実施例２】
【００４９】
実施例２の洋風水洗式便器では、図８〜図１０に示すように、蓄圧装置１００の空気孔２５Ａが吸排気ホースＨを介して便器本体１の封水部３より下流側の便器排水路４に連通されている。他の構成は、実施例１と同様であり、同一の構成には同一の符号を付し、詳細な説明を省略する。
【００５０】
この洋風水洗式便器における便器洗浄動作では、第１開閉弁Ｖ１が開弁し、蓄圧装置１００の第１室２１に貯留された蓄圧水が排出され、ジェットノズル６から高い水圧による大流量の洗浄水が一気に便器排水路４内に噴出すると同時に、便器排水路４内の空気が吸排気ホースＨを介して、蓄圧装置１００の第２室２２に吸引される。このため、ジェットノズル６から噴出される大流量の洗浄水と、便器排水路４内の空気の吸引との相乗効果により、封水部３から便器排水路４の下流側に一気に洗浄水が流れる。このため、サイホン作用を確実に発生させることができる。このため、サイホン作用により汚物を便鉢２内からより強力に排出することができる。他の動作は、実施例１の洋風水洗式便器と同様である。また、他の作用効果は実施例１と同様である。
【００５１】
したがって、実施例２の洋風水洗式便器も、便器洗浄を良好に行うことができる。
【００５２】
以上において、本発明を実施例１及び２に即して説明したが、本発明は上記実施例に制限されるものではなく、その趣旨に逸脱しない範囲で適宜変更して適用できることはいうまでもない。
【００５３】
例えば、複数の蓄圧装置１００を備えてもよい。この場合、蓄圧装置１００を便器本体の左右等、空いたスペースに分けて配置してもよい。このようにすると、広いスペースが設けられない場合に有効である。
蓄圧装置１００の出入口２４Ａと洗浄水供給路との間に開閉弁を設けてもよい、この場合、開閉弁の開閉タイミングを制御し、所定のタイミングで蓄圧水を洗浄水供給路に吐出することができる。
第２開閉弁Ｖ２の下流側に蓄圧装置を接続してもよい。
蓄圧装置１００は、第２室が密閉され、気体を封入してダイヤフラム２０を付勢するものでもよい。
蓄圧装置１００の隔膜は、中間部３２が折りたたみ可能な蛇腹状に形成されてもよい。
【図面の簡単な説明】
【００５４】
【図１】実施例１の洋風水洗式便器の模式図である。
【図２】実施例１の洋風水洗式便器の斜視図である。
【図３】実施例１の洋風水洗式便器の背面図である。
【図４】実施例１の洋風水洗式便器の断面図である。
【図５】実施例１の洋風水洗式便器の要部の分解図である。
【図６】実施例１の洋風水洗式便器の要部の斜視図である。
【図７】実施例１及び２の蓄圧装置の断面図である。
【図８】実施例２の洋風水洗式便器の模式図である。
【図９】実施例２の洋風水洗式便器の斜視図である。
【図１０】実施例２の洋風水洗式便器の一部断面図である。
【符号の説明】
【００５５】
１…便器本体
２…便鉢
３…封水部
４…便器排水路
１０…便器洗浄装置
Ｖ１…第１開閉弁
Ｖ２…第２開閉弁
２０…蓄圧タンク
２１…第１室
２２…第２室
２４Ａ…出入口
２５Ａ…空気孔
２６Ａ…水抜き栓
３０…ダイヤフラム（隔膜）
６０…漏出防止機構
７０…コイルばね（弾性体）
８０…ベース部材
８１…支持部
１００…蓄圧装置
【図１】
0005361250.tif 000002
【図２】
0005361250.tif 000003
【図３】
0005361250.tif 000004
【図４】
0005361250.tif 000005
【図５】
0005361250.tif 000006
【図６】
0005361250.tif 000007
【図７】
0005361250.tif 000008
【図８】
0005361250.tif 000009
【図９】
0005361250.tif 000010
【図１０】
0005361250.tif 000011